(57)【要約】【課題】積み木ユニットを組み合わせて立体形状に形成した後、ユーザが立体形状を調整して様々な形態に変化させたり様々な動きをさせたりすることができる実用性が高い知育積み木を提供する。【解決手段】知育積み木は、長さが異なる長尺状の複数の積み木ユニット１を備える。積み木ユニット１それぞれの側面には、複数の枢着孔１１が設けられている。積み木ユニット１のうちの少なくとも２つが、結合部材２を介して複数の枢着孔１１のうちの１つに枢着して位置決めされ、積み木ユニット１が組み合わされて立体形状に形成される。加飾シートが切断されて形成され、積み木ユニット１を組み合わせて構成した立体形状の対応した箇所に、加飾シートを直接組み合わせて結合する。積み木ユニット１のそれぞれを枢着して構成した立体形状に、組立部材を取り付けて支持部を形成する。【選択図】図１
0003172088.tif 000002
【実用新案登録請求の範囲】
【請求項１】
長さが異なる長尺状の複数の積み木ユニットを備える知育積み木であって、
前記積み木ユニットそれぞれの側面には、複数の枢着孔が設けられ、
前記積み木ユニットのうちの少なくとも２つが、結合部材を介して前記複数の枢着孔のうちの１つに枢着して位置決めされ、前記積み木ユニットが組み合わされて立体形状に形成されることを特徴とする知育積み木。
【請求項２】
加飾シートが切断されて形成され、前記積み木ユニットを組み合わせて構成した立体形状の対応箇所に、前記加飾シートを直接組み合わせて結合することを特徴とする請求項１に記載の知育積み木。
【請求項３】
前記積み木ユニットのそれぞれを枢着して構成した立体形状に、組立部材を取り付けて支持部を形成し、
前記支持部上には、動力源が配置され、
前記動力源は、電源部に接続され、前記積み木ユニットに枢着した立体形状の可動部それぞれに接続されることを特徴とする請求項１に記載の知育積み木。
【考案の詳細な説明】
【技術分野】
【０００１】
本考案は、知育積み木に関し、特に、積み木ユニットを組み合わせて立体形状に形成した後、ユーザが立体形状を調整して様々な形態に変化させたり様々な動きをさせたりすることができる実用性が高い知育積み木に関する。
【背景技術】
【０００２】
従来の積み木構造には様々な形態がある。この形態には、例えば幾何学的造型、機構造型、特殊造型などが含まれる。また、それらの組み合わせには、積層、接続、嵌合などが含まれ、積み木の外側に設けた凹凸構造により積み木を互いに接続して組み合わせ、特定造型を形成するものがほとんどであった。ユーザは、積み木を組み合わせる遊びを通して具体的な空間・数学に関する概念を学んで脳を刺激し、遊びを通して学ぶことができる。
【０００３】
従来の積み木構造（例えば、特許文献１）は、第１の端縁及び第２の端縁を有する複数のプレート状又は棒状の組立て部材を含む。第１の端縁は、第１の切欠き及び第２の切欠きを有し、組み立てる際、組立部材の第１の切欠きともう一つの組立部材の第２の端縁とを接合させ、第２の切欠きと他の組み合わせ部材とを接合させる。組立部材に設けられた第１の切欠き及び第２の切欠きは、組立て部材の厚さより大きく、角度が形成されるように２つの組立て部材を形成し、幾何学的形状に組み合わせて立体形状を形成する。
【０００４】
しかし、上述の特許文献１は、組み合わせて所定の立体形状を形成することができるが、積み木を組み立てる際、組立て部材を介し、第１の切欠きにもう一つの組立て部材の第２の端縁を接合させるとともに、第２の切欠きをその他の組立て部材と接合させ、各組立て部材に接合されて組立てられた立体形状が固定されたものであるため、様々な動きをさせたりすることができない上、その組立てた積み木造型に動力源を組み合わせて様々な動きをさせることもできなかったため改良が求められていた。
【先行技術文献】
【特許文献】
【０００５】
【特許文献１】台湾実用新案登録第５８７９５４号公報
【考案の概要】
【考案が解決しようとする課題】
【０００６】
本考案の目的は、積み木ユニットを組み合わせて立体形状に形成した後、ユーザが立体形状を調整して様々な形態に変化させたり様々な動きをさせたりすることができる実用性が高い知育積み木を提供することにある。
【課題を解決するための手段】
【０００７】
上記課題を解決するために、本考案の第１の形態によれば、長さが異なる長尺状の複数の積み木ユニットを備える知育積み木であって、前記積み木ユニットそれぞれの側面には、複数の枢着孔が設けられ、前記積み木ユニットのうちの少なくとも２つが、結合部材を介して前記複数の枢着孔のうちの１つに枢着して位置決めされ、前記積み木ユニットが組み合わされて立体形状に形成されることを特徴とする知育積み木が提供される。
【０００８】
また、加飾シートが切断されて形成され、前記積み木ユニットを組み合わせて構成した立体形状の対応した箇所に、前記加飾シートを直接組み合わせて結合することが好ましい。
【０００９】
また、前記積み木ユニットのそれぞれを枢着して構成した立体形状に、組立部材を取り付けて支持部を形成し、前記支持部上には、動力源が配置され、前記動力源は、電源部に接続され、前記積み木ユニットに枢着した立体形状の可動部それぞれに接続されることが好ましい。
【考案の効果】
【００１０】
本考案の知育積み木は、積み木ユニットを組み合わせて立体形状に形成した後、ユーザが立体形状を調整して様々な形態に変化させたり様々な動きをさせたりすることができる。
【図面の簡単な説明】
【００１１】
【図１】本考案の一実施形態による知育積み木を示す分解斜視図である。
【図２】本考案の一実施形態による知育積み木を示す斜視図である。
【図３】本考案の一実施形態による知育積み木を使用しているときの状態を示す斜視図である。
【図４】本考案の他の実施形態による知育積み木を使用しているときの状態を示す斜視図である。
【図５】本考案の一実施形態による知育積み木を使用しているときの状態を示す側面図である。
【図６】本考案の一実施形態による知育積み木を使用しているときの状態を示す側面図である。
【考案を実施するための形態】
【００１２】
図１を参照する。図１に示すように、本考案の一実施形態による知育積み木は、長さが異なる長尺状の複数の積み木ユニット１を含む。各積み木ユニット１の側面には、複数の枢着孔１１が設けられ、少なくとも２つの積み木ユニット１が、結合部材２を介してそのうちの１つの枢着孔１１に枢着されて位置決めされる。
【００１３】
このように、異なる長さを有する各積み木ユニット１間を異なる枢着孔１１を用いて対応させ、結合部材２を介して枢着孔１１により積み木ユニット１間を枢着させることにより、ユーザは自らの創意工夫を発揮して各積み木ユニット１を組み合わせて様々な種類の立体形状（例えば、動物、ロボットなど）を形成してもよい。また動物の体の一部（例えば、頭部、尻尾など）を切断して形成したり、人の頭部、四肢などを造型した加飾シートを切断して形成したりし、積み木ユニット１を組み合わせて形成した立体形状の対応した箇所に加飾シートを直接組み合わせて結合し、組み合わせた立体形状の見た目を良くする。組み合わせる立体形状が、結合部材２を介して各積み木ユニット１間に枢着され、ユーザは組み立てて形成した立体形状を調整することにより、様々な形態に変化させたり様々な動きをさせたりすることができる。
【００１４】
図３及び図４を参照する。図３及び図４に示すように、本考案の一実施形態による知育積み木は、各積み木ユニット１が結合部材２を介して枢着孔１１に枢着されて立体形状に形成した後、折り曲げて鋭角又は鈍角を形成したりＬ字状の組立部材３を組み合わせて形成したりした支持部上に動力源４が配置されている。この動力源４は、電源部４１に接続され、積み木ユニット１に枢着された立体形状の各可動部に接続される。
【００１５】
図５及び図６を参照する。図５及び図６に示すように、動力源４をオンすると、電源部４１から電源が供給され、積み木ユニット１に枢着された立体形状の各可動部が動力源４により様々な動きをする。
【００１６】
本考案の知育積み木は、以下（１）及び（２）の長所を有する。
（１）積み木ユニットは、結合部材を介して枢着させて立体形状を構成した後、ユーザが組み立てた立体形状を調整して様々な形態に変化させ、この立体形状に様々な動きをさせることができる。
（２）積み木ユニットに枢着された立体形状の各可動部は、それら可動部に接続された動力源により様々な動きをすることができる。
【００１７】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１８】
１  積み木ユニット
２  結合部材
３  組立部材
４  動力源
１１  枢着孔
４１  電源部
【図１】
0003172088.tif 000003
【図２】
0003172088.tif 000004
【図３】
0003172088.tif 000005
【図４】
0003172088.tif 000006
【図５】
0003172088.tif 000007
【図６】
0003172088.tif 000008